(57)【要約】【課題】プラグ体の内部や周りに特別な装置を設けることなく、相手側のコンセントが固定されていない電源用のコンセントからも差込みプラグを片手で静かに楽に引き抜けるようにする。【解決手段】  プラグ体の先端より手の４指幅程の位置に至る間の部分に握りずれ止手段を備える握り部を設け、プラグ体と握り部を持って親指の先でコンセントの上面を押すことによりプラグをコンセントより引き抜くことが出来るようにする。  【選択図】        図１
2005251484.tif 000002
【特許請求の範囲】
【請求項１】
プラグ体の先端より手の４指幅程の位置の前後の部分に至る間の部分に握りずれ止手段を備える握り部（６、６ａ、６ｂ、６ｃ、６ｄ）を備えることを特徴とする差込みプラグ。
【請求項２】
握り部（６、６ｂ、６ｄ）の後端で隆起する隆起部（７、７ｂ、７ｄ）の握りずれ止手段を備える請求項１記載の差込みプラグ。
【請求項３】
プラグ体の後端よりコード（１ａ）の外周を後方へ略平行以上の形で伸びて太く覆う握り部（６ａ）の握りずれ止手段を備える請求項１記載の差込みプラグ。
【請求項４】
プラグ体の先端部より後方へ略平行以上の形で伸びた略長方体のプラグ体（３ｃ）の後部に設けた握り部（６ｃ）の握りずれ止手段を備える請求項１記載の差込みプラグ。
【発明の詳細な説明】
【技術分野】
【０００１】
本発明は、電源コンセントに差込んで電力を引出すのに広く用いられている差込みプラグに関する。特に、コードが差込み脚と略同心、且つ平行に引出されている形のプラグに関する。
【背景技術】
【０００２】
電源コンセントに差込まれたプラグを引き抜くのは意外と面倒に感じることがある。特に、コンセントが壁等に固定されていない場合は、一方の手でコンセントを押えておかねばならないので両手を使う必要がある。本来、固く嵌まったものを支点を持たずに引き抜くという動作は安定性に欠けるのでやり辛い面（欠点）がある。例えば、奥まった所にあるコンセントからプラグを片手で抜くような際に、プラグが抜けた瞬間の勢いで腕や手を周囲の物にぶつけることもある。
【０００３】
プラグ体の後部に引き抜き用の指穴あるいは紐穴を設け、それらの穴に指や輪状にした紐を通して引き抜き易くしたもの、あるいはプラグ体後部のコード部分にプラグ体側にその先端部を固定されたビニールやゴム等の比較的長いパイプやタブを設け、該部を手で持って引き抜くことが出来るようにしたものが知られている。これらはプラグを直に手で持たずに引き抜けるが、不安定であることには変わりなく、引き抜く際にプラグの脚を曲げたり、プラグが抜けた瞬間の勢いでプラグを周囲の物にぶつけたりしやすい欠点がある。特に、潰れやすくて伸びやすいビニールや織物のパイプを用いたものでは、握った力でコードを押圧して直にコードを引張るのと変わりなく、コードを曲げや引張りの力から十分保護しえない。実開平１−７９２８１号広報に開示されるものは、手の入らない多数の密接したコネクタージャックに差し込むプラグに関わるもので、各部の太さや長さ等に関わる限定等もなく、挿脱用部材部分を握って固定されているコネクタージャックに抜き差し出来るようにしたものである。プラグを直に手で掴んで抜き差し出来るコネクタージャックのプラグに対してこの構造を敢えて採る必要性のない範疇の提案である。
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
【特許文献１】実開昭５５−７９０８４号広報、
【特許文献２】実開昭６２−１２３０７６号広報、
【特許文献３】実開平１−７９２８１号広報、
【特許文献４】実開平１−１５０３８２号広報、
【特許文献５】実開平１−１００３８６号広報、
【特許文献６】特開平１−２３９７７９号広報、
【特許文献７】実開平７−２７３３２３号広報。
【発明の開示】
【発明が解決しようとする課題】
【０００５】
プラグを片手で安全且つ楽に引き抜くには、親指(第１指)の押す力を用いるのがよい。その為には、親指でコンセント面を押す力をプラグ体に伝えるべくその後部側の部分が残りの指でずれないように握られておくことが肝要である。しかも、そこに負担を感じないことが大事である。つまり、その握られる部分が指に大きな負担を与えることなくずれる方向への側方力に抗しきれるような形や性状が与えられている必要がある。
本発明の目的は、相手側のコンセントが固定されているいないに関わらず、プラグ体の内部や周りに特別な装置を設けることなく、片手で静かに楽に引き抜くことの出来る差込みプラグを提供することにある。
【課題を解決するための手段】
【０００６】
上記目的を達成するために、本発明のプラグにおいては、プラグ体の先端より手の４指幅程の位置の前後の部分に至る間の部分に握りずれ止手段を備える握り部を設けたものである。
【０００７】
上記握りずれ止手段はその後端に隆起部を備える握り部とすることが出来る。
【０００８】
上記握りずれ止手段はコードの外周を後方へ略平行以上の形に伸びて太く覆う握り部とすることも出来る。
【０００９】
上記握りずれ止手段はその先端部より後方へ略平行以上の形で伸びた略長方体のプラグ体の後部に設けた握り部にすることも出来る。
【発明の効果】
【００１０】
本発明は以上のように構成されるので、相手側が固定されていないコンセントであっても、プラグ体を含むその後部を片手で握って親指でコンセントの上面を押すようにすることで楽に引き抜くことの出来る差込みプラグを得ることが出来る。
又、プラグ体の内部や周りに特別な装置を設けることなく、簡明なプラグ構造によって片手で引き抜くことの出来る差込みプラグを得ることが出来る。
又、その後端に隆起部を備える握り部とすることによって、コードへの悪影響を抑えつつ一層楽に引き抜くことの出来る差込みプラグを得ることが出来る。
【発明を実施するための最良の形態】
【００１１】
プラグ体を含むその後部側を片手で握って静かに楽に引き抜くことの出来る差込みプラグを、構造を複雑にすることなく最小の構成部品によって実現した。
【実施例１】
【００１２】
この実施例においては、プラグ体の後部より後方へ伸びる握り部がその後端に隆起部を備えている。以下に実施例を図１を参照して説明する。電気装置より伸びるコード１の端にある差込みプラグ２はプラグ体３の先端に二つの脚部４を備え、該脚部４をコンセント５に差込んで使用される。安定した通電が得られるように脚部４は確りとコンセント５に保持されている。家電用の電気コードは丸い被覆線を横に並べてくっ付けたようなものが多く、柔軟である。通常、プラグ体３のコード引出し部にはコードを傷めないように保護する適度に曲がる短い保護ブッシュが設けられているが、ここではプラグ体３の後部よりコード１の外周を覆って後方へ長く伸びる握り部６が形成されている。該握り部６は保護ブッシュと同じような多数の横溝を有し柔軟性を備えており、その後側の端部には太く隆起した隆起部７が形成されている。ここではプラグ体３の先端より隆起部７までの間隔である符号Ｓの寸法は70mm程になっている。握り部６の太さは8.5mm程の円形に近い形になっている。図に仮想線でプラグ２を引き抜く際の手の指の位置関係が示されている。親指(第１指)ｔをプラグ体３の表側に当て、人差し指(第２指)ｉをプラグ体３の裏側を受けるように当てて持ち、中指(第３指)ｍ、薬指（第4指）ｒ、小指（第５指）ｌが握り部６を裏側から抱くように握っている。この状態で親指ｔを先方へずらすようにしてその先でコンセント５の上面８を押すことにより静かにプラグ２をコンセント５より引き抜くことができる。この際、小指ｌの後側の側部が隆起部７に押し当てられ握り部６を握っている各指の後方向へのずれ止めがなされる。従って、握り部６を持つ各指は軽く握っているくらいでよく、隆起部７がより効果的に握りずれ止機能を果たしている。親指ｔでコンセントの上面８を押す際に、人差し指ｉの前側の側部でコンセントの上面８を同時に押してやるようにすることも出来る。握り部６はプラグ体と繋がる根元部分をより強く造られ、コード１側とは分離されている。
【実施例２】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たいしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、先太りを含む目に見えて先細りでない形状のことである。目立たない緩やかな後細り程度は問題にならない。
【実施例３】
【００１４】
握り部の長さはさらに短くして実施することも出来る。以下に図３を参照して説明する。ここではプラグ体３ｂの先端より隆起部７ｂまでの間隔である符号Ｓｂの寸法は50mm程になっている。図に仮想線で示されるプラグ２ｂを引き抜く際の各指の位置関係では、中指ｍｂと薬指ｒｂの二本がプラグ体３ｂと垂直の端面を持つ太い隆起部７ｂの間にあって握り部６ｂを裏側から握っている。この際にあてがわれる指の数や指の握りの深さ等は扱う人の手の大きさによって変わってくる。親指ｔｂの先でコンセントの上面８ｂを押す力に抗して薬指ｒｂの後側の側部が隆起部７ｂに押し当てられることにより握りずれ止め機能が果され、楽に静かにプラグ２ｂをコンセント５ｂより引き抜くことが出来る。
【実施例４】
【００１５】
握り部はプラグ体自体に形成することも出来る。以下に図４を参照して説明する。ここで、プラグ体３ｃはその先端部より後方へ真っ直ぐに伸びた長方体の形になっている。先端より後端までの長さである符号Ｓｃの寸法は50mm程と通常のこの種の差込みプラグに比べ長くなっている。図に仮想線で示されるプラグ２ｃを引き抜く際の各指の位置関係では、中指ｍｃと薬指ｒｃの二本がプラグ体３ｃの後側の握り部６ｃを裏側から握っている。プラグ体３ｃがこの形であれば中指ｍｃと薬指ｅｃは握り部６ｃを十分確りと握ることが出来る。そして親指ｔｃでコンセントの上面８ｃを押す力に抗して握りずれ止機能を果す。ここでも負担を感じることなくプラグ２ｃをコンセント５ｃより引き抜くことが出来る。ここでも充分な握りずれ止機能を発揮させるべく、後方へ略平行以上の形で伸びていることが肝要である。プラグ体３ｃの握り部６ｃが目に見えた後細りの傾斜面を持たないことが大事で、なるべくは後太りの形状が好ましい。
【実施例５】
【００１６】
図５は握り部をプラグ体自体に備える他の実施例である。ここでは、プラグ体３ｄの握り部６ｄ部分の後側に窪み部９が設けてあり、その後側には隆起した隆起部７ｄが形成されている。プラグ体３ｄの先端より隆起部７ｄまでの間隔である符号Ｓｄの寸法は45mm程になっている。図に仮想線で示されるプラグ２ｄを引き抜く際の各指の位置関係では、薬指ｒｄが窪み部９の中にあって隆起部７ｄ側を手のひらに押し付けるようにして確り握っている。そこで、該握り部６ｄを握っている指の後方向へのずれに対する抵抗がより一層強められる。中指ｍｄと薬指ｒｄの二本で握りずれ止機能を充分に発揮することが出来る。
以上のように、隆起部の位置など握り部の形状、寸法そして性状等は最初に述べた引き抜き操作の方法と密接に関連して決められている。実施例に示した各握り部は、プラグの引き抜きに充分な握りずれ止機能を果たすことの出来る握りずれ止手段を備えるものである。
【産業上の利用可能性】
【００１７】
一般家庭用を含め電気コードの差込みプラグとして広く利用できる。
【図面の簡単な説明】
【００１８】
【図１】実施例を示す差込みプラグの平面図である。
【図２】第二の実施例を示す差込みプラグの平面図である。
【図３】第三の実施例を示す差込みプラグの平面図である。
【図４】第四の実施例を示す差込みプラグの平面図である。
【図５】第五の実施例を示す差込みプラグの平面図である。
【符号の説明】
【００１９】
１、 １ａ、１ｂ、１ｃ、１ｄ  コード
２、２ａ、２ｂ、２ｃ、２ｄ  プラグ
３、３ａ、３ｂ、３ｃ、３ｄ  プラグ体
４、４ａ、４ｂ、４ｃ、４ｄ  脚
５、５ａ、５ｂ、５ｃ、５ｄ  コンセント
６、６ａ、６ｂ、６ｃ、６ｄ  握り部
７、７ｂ、７ｄ 
隆起部
ｔ、ｔａ、ｔｂ、ｔｃ、ｔｄ  親指(第１指)
ｉ、ｉａ、ｉｂ、ｉｃ、ｉｄ  人差し指(第２指)
ｍ、ｍａ、ｍｂ、ｍｃ、ｍｄ  中指(第３指)
ｒ、ｒａ、ｒｂ、ｒｃ、ｒｄ  薬指（第4指）
ｌ、ｌａ 
小指（第５指）
【図１】
2005251484.tif 000003
【図２】
2005251484.tif 000004
【図３】
2005251484.tif 000005
【図４】
2005251484.tif 000006
【図５】
2005251484.tif 000007
【手続補正書】
【提出日】平成16年12月15日(2004.12.15)
【手続補正１】
【補正対象書類名】特許請求の範囲
【補正対象項目名】全文
【補正方法】変更
【補正の内容】
【特許請求の範囲】
【請求項１】
プラグ体の先端より手の４指幅程の位置の部分に至る間の部分に握りずれ止め手段を備える握り部を有することを特徴とする差込みプラグ。
【請求項２】
プラグ体の先端より手の４指幅程の位置の部分に至る間の部分にプラグ体後部よりコードと分離されてコードの外周を覆い且つ握りずれ止め手段を備える握り部を有することを特徴とする差込みプラグ。
【請求項３】
プラグ体の先端より手の４指幅程の位置の部分に至る間の部分にプラグ体後部よりコードと分離されてコードの外周を覆いその後端に隆起部の握りずれ止め手段を備える握り部を有することを特徴とする差込プラグ。
【請求項４】
握りずれ止め手段がプラグ体後部にコードと分離されてコードの外周を後方へ略平行以上の形で伸びて太く覆う握り部からなることを特徴とする請求項２記載の差込みプラグ。
【請求項５】
プラグ体がその先端より手の４指幅程の位置の部分に至る間の部分に伸びており、その後側部分に握りずれ止め手段を備える握り部を有することを特徴とする差込みプラグ。
【請求項６】
握りずれ止め手段がプラグ体の先端部より後方へ４指幅程の位置の部分に至る間の部分に略平行以上の形で後方へ伸びた略長方体のプラグ体の後側部分の握り部からなることを特徴とする請求項５記載の差込みプラグ。
【請求項７】
握りずれ止め手段がプラグ体の後側部分の握り部の後端に形成した隆起部からなることを特徴とする請求項５記載の差込みプラグ。
【請求項８】
握りずれ止め手段がプラグ体の後側部分の握り部に形成した窪み部とその後側の隆起部からなることを特徴とする請求項５記載の差込みプラグ。
【手続補正書】
【提出日】平成16年12月15日(2004.12.15)
【手続補正１】
【補正対象書類名】明細書
【補正対象項目名】００１３
【補正方法】変更
【補正の内容】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たいしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ先太りを含む目に見えて先細りでない形状のことである。目立たない緩やかな後細り程度は問題にならない。
【手続補正書】
【提出日】平成17年1月7日(2005.1.7)
【手続補正１】
【補正対象書類名】特許請求の範囲
【補正対象項目名】全文
【補正方法】変更
【補正の内容】
【特許請求の範囲】
【請求項１】
プラグ体がその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分に握りずれ止め手段を備える前記第３指以後側の指の握り部を有することを特徴とする差込みプラグ。
【請求項２】
プラグ体がその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分にプラグ体後部より引き出されるコードの外周を該コードと分離されて後方へ略平行以上の形で伸びて太く覆う握りずれ止め手段を備える前記第３指以後側の指の握り部を有することを特徴とする差込みプラグ。
【請求項３】
プラグ体がその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分にプラグ体後部より引き出されるコードの外周を該コードと分離されて覆いその後端に隆起部の握りずれ止め手段を備える前記第３指以後側の指の握り部を有することを特徴とする差込みプラグ。
【請求項４】
プラグ体がその先端側にその引き抜き時に握る手の第１指側の位置する表側部と第２指側の位置する裏側部を備えると共にその先端より握る手の第２指から第５指に至る４指幅程の位置の前後の部分に至る長さを有し、前記握る手の第３指の位置以後の部分に握りずれ止め手段を備える前記第３指以後側の指の握り部を有することを特徴とする差込みプラグ。
【請求項５】
握りずれ止め手段がその先端部より略平行以上の形で後方へ伸びた略長方体のプラグ体の握る手の第３指の位置以後の部分の握り部からなることを特徴とする請求項４記載の差込みプラグ。
【請求項６】
握りずれ止め手段がプラグ体の握る手の第３指の位置以後の部分の握り部の後端に形成した隆起部からなることを特徴とする請求項４記載の差込みプラグ。
【請求項７】
握りずれ止め手段がプラグ体の握る手の第３指の位置以後の部分の握り部の後部に形成した窪み部とその後側の隆起部からなることを特徴とする請求項４記載の差込みプラグ。
【手続補正書】
【提出日】平成17年1月7日(2005.1.7)
【手続補正１】
【補正対象書類名】明細書
【補正対象項目名】０００４
【補正方法】変更
【補正の内容】
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
公開文献１  実開昭５５−７９０８４号広報、
公開文献２  実開昭６２−１２３０７６号広報、
公開文献３  実開平１−７９２８１号広報、
公開文献４  実開平１−１５０３８２号広報、
公開文献５  実開平１−１００３８６号広報、
公開文献６  特開平１−２３９７７９号広報。
【手続補正２】
【補正対象書類名】明細書
【補正対象項目名】０００６
【補正方法】変更
【補正の内容】
【０００６】
上記目的を達成するために、本発明の差込みプラグは、プラグ体がその先端側にその引き抜き時に握る手の第１指側の位置する表側部と第２指側の位置する裏側部を備え、その後方にプラグ体の先端より握る手の第２指から第５指に至る４指幅程の位置の前後の部分に至る長さを有し、握る手の第３指の位置以後の部分に握りずれ止手段を備える第３指以後側の握り部を設けたものである。
【手続補正書】
【提出日】平成17年1月13日(2005.1.13)
【手続補正１】
【補正対象書類名】特許請求の範囲
【補正対象項目名】請求項１
【補正方法】変更
【補正の内容】
【請求項１】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分に握りずれ止め手段を備える前記第３指以後側の指の握り部を有し前記第１指でコンセントの上面を押して引き抜くことを特徴とする差込みプラグ。
【手続補正２】
【補正対象書類名】特許請求の範囲
【補正対象項目名】請求項２
【補正方法】変更
【補正の内容】
【請求項２】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分にプラグ体後部より引き出されるコードの外周を該コードと分離されて後方へ略平行以上の形で伸びて太く覆う握りずれ止め手段を備える前記第３指以後側の指の握り部を有し前記第１指でコンセントの上面を押して引き抜くことを特徴とする差込みプラグ。
【手続補正３】
【補正対象書類名】特許請求の範囲
【補正対象項目名】請求項３
【補正方法】変更
【補正の内容】
【請求項３】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方にプラグ体の先端より前記握る手の第２指から第５指に至る４指幅程の位置の前後の部分に至る長さを有し前記握る手の第３指の位置以後の部分にプラグ体後部より引き出されるコードの外周を該コードと分離されて覆いその後端に隆起部の握りずれ止め手段を備える前記第３指以後側の指の握り部を有し前記第１指でコンセントの上面を押して引き抜くことを特徴とする差込みプラグ。
【手続補正４】
【補正対象書類名】特許請求の範囲
【補正対象項目名】請求項４
【補正方法】変更
【補正の内容】
【請求項４】
プラグ体がコンセントに差込まれる脚部を備えるその先端側にその引き抜き時に握る手の第１指側の位置する表側部と第２指側の位置する裏側部を備えると共にその先端より握る手の第２指から第５指に至る４指幅程の位置の前後の部分に至る長さを有し、前記握る手の第３指の位置以後の部分に握りずれ止め手段を備える前記第３指以後側の指の握り部を有し前記第１指でコンセントの上面を押して引き抜くことを特徴とする差込みプラグ。
【手続補正５】
【補正対象書類名】特許請求の範囲
【補正対象項目名】請求項５
【補正方法】変更
【補正の内容】
【請求項５】
握りずれ止め手段がその先端部より略平行以上の形で後方へなるべくは６０ｍｍ程を越える長さに伸びたプラグ体の握る手の第３指の位置以後の部分の握り部からなることを特徴とする請求項４記載の差込みプラグ。
【手続補正書】
【提出日】平成17年1月13日(2005.1.13)
【手続補正１】
【補正対象書類名】明細書
【補正対象項目名】０００３
【補正方法】変更
【補正の内容】
【０００３】
プラグ体の後部に引き抜き用の指穴あるいは紐穴を設け、それらの穴に指や輪状にした紐を通して引き抜き易くしたもの、あるいはプラグ体後部のコード部分にプラグ体側にその先端部を固定されたビニールやゴム等の比較的長いパイプやタブを設け、該部を手で持って引き抜くことが出来るようにしたものが知られている。これらはプラグを直に手で持たずに引き抜けるが、不安定であることには変わりなく、引き抜く際にプラグの脚を曲げたり、プラグが抜けた瞬間の勢いでプラグを周囲の物にぶつけたりしやすい欠点がある。特に、潰れやすくて伸びやすいビニールや織物のパイプを用いたものでは、握った力でコードを押圧して直にコードを引張るのと変わりなく、コードを曲げや引張りの力から十分保護しえない。実開平１−７９２８１号広報に開示されるものは、手の入らない多数の密接したコネクタージャックに差し込むプラグに関わるもので、各部の太さや長さ等に関わる限定等もなく、挿脱用部材部分を握って固定されているコネクタージャックに抜き差し出来るようにしたものである。プラグを直に手で掴んで抜き差し出来るコネクタージャックのプラグに対してこの構造を敢えて採る必要性のない範疇の提案である。
直に掴み得るプラグ体の後部に、更に引き抜きの為の掴み部を設けただけのものではその効果は限られたものとなる。むしろ、長く出っ張るものなどは邪魔になることが多いので、この類の電源用の差込みプラグは今日まで殆んど実用されるに至っていない。
【手続補正２】
【補正対象書類名】明細書
【補正対象項目名】０００４
【補正方法】変更
【補正の内容】
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
【特許文献１】特許第２９６７６７５号広報    公開文献１  実開昭５５−７９０８４号広報    公開文献２  実開昭６２−１２３０７６号広報    公開文献３  実開平１−７９２８１号広報、    公開文献４  実開平１−１５０３８２号広報    公開文献５  実開平１−１００３８６号広報    公開文献６  特開平１−２３９７７９号広報    公開文献７  実開昭４８−５２０９０号広報    公開文献８  実開昭４９−８４６８８号広報    公開文献９  実開昭６１−１７７３７６号広報
【手続補正３】
【補正対象書類名】明細書
【補正対象項目名】０００６
【補正方法】変更
【補正の内容】
【０００６】
上記目的を達成するために、本発明の差込みプラグは、プラグ体がコンセントに差込まれる脚を備えるその先端側にその引き抜き時に握る手の第１指側の位置する表側部と第２指側の位置する裏側部を備え、その後方にプラグ体の先端より握る手の第２指から第５指に至る４指幅程の位置の前後の部分に至る長さを有し、握る手の第３指の位置以後の部分に握りずれ止手段を備える第３指以後側の指の握り部を設け、前記第１指でコンセントの上面を押して引き抜くようにしたものである。
【手続補正４】
【補正対象書類名】明細書
【補正対象項目名】００１４
【補正方法】変更
【補正の内容】
【００１４】
握り部の長さはさらに一杯に短くして実施することも出来る。以下に図３を参照して説明する。ここではプラグ体３ｂの先端より隆起部７ｂまでの間隔である符号Ｓｂの寸法は50mm程になっている。図に仮想線で示されるプラグ２ｂを引き抜く際の各指の位置関係では、中指ｍｂと薬指ｒｂの二本がプラグ体３ｂと垂直の端面を持つ太い隆起部７ｂの間にあって握り部６ｂを裏側から握っている。この際にあてがわれる指の数や指の握りの深さ等は扱う人の手の大きさによって変わってくる。親指ｔｂの先でコンセントの上面８ｂを押す力に抗して薬指ｒｂの後側の側部が隆起部７ｂに押し当てられることにより握りずれ止め機能が果され、楽に静かにプラグ２ｂをコンセント５ｂより引き抜くことが出来る。
【手続補正５】
【補正対象書類名】明細書
【補正対象項目名】００１５
【補正方法】変更
【補正の内容】
【００１５】
握り部はプラグ体自体に形成することも出来る。図４に前例と同じように短いプラグ体に短い握り部を形成した例が示されている。ここで、プラグ体３ｃはその先端部より後方へ真っ直ぐに伸びた長方体の形になっている。先端より後端までの長さである符号Ｓｃの寸法は50mm程と通常のこの種の差込みプラグに比べ長くなっている。図に仮想線で示されるプラグ２ｃを引き抜く際の各指の位置関係では、中指ｍｃと薬指ｒｃの二本がプラグ体３ｃの後側の握り部６ｃを裏側から握っている。プラグ体３ｃがこの形であれば中指ｍｃと薬指ｅｃは握り部６ｃを十分確りと握ることが出来る。そして親指ｔｃでコンセントの上面８ｃを押す力に抗して握りずれ止機能を果す。ここでも負担を感じることなくプラグ２ｃをコンセント５ｃより引き抜くことが出来る。ここでも充分な握りずれ止機能を発揮させるべく、後方へ略平行以上の形で伸びていることが肝要である。プラグ体３ｃの握り部６ｃが目に見えた後細りの傾斜面を持たないことが大事で、なるべくは後太りの形状が好まし
【手続補正書】
【提出日】平成17年1月14日(2005.1.14)
【手続補正１】
【補正対象書類名】明細書
【補正対象項目名】０００４
【補正方法】変更
【補正の内容】
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
先行技術文献１  実開昭５５−７９０８４号広報
先行技術文献２  実開昭６２−１２３０７６号広報
先行技術文献３  実開平１−７９２８１号広報、
先行技術文献４  実開平１−１５０３８２号広報
先行技術文献５  実開平１−１００３８６号広報
先行技術文献６  特開平１−２３９７７９号広報
先行技術文献７  実開昭４８−５２０９０号広報
先行技術文献８  実開昭４９−８４６８８号広報
先行技術文献９  実開昭６１−１７７３７６号広報
【特許文献１】特許第２９６７６７５号広報
【手続補正２】
【補正対象書類名】明細書
【補正対象項目名】００１５
【補正方法】変更
【補正の内容】
【００１５】
握り部はプラグ体自体に形成することも出来る。図４に前例と同じように短いプラグ体に短い握り部を形成した例が示されている。ここで、プラグ体３ｃはその先端部より後方へ真っ直ぐに伸びた長方体の形になっている。先端より後端までの長さである符号Ｓｃの寸法は50mm程と通常のこの種の差込みプラグに比べ長くなっている。図に仮想線で示されるプラグ２ｃを引き抜く際の各指の位置関係では、中指ｍｃと薬指ｒｃの二本がプラグ体３ｃの後側の握り部６ｃを裏側から握っている。プラグ体３ｃがこの形であれば中指ｍｃと薬指ｅｃは握り部６ｃを十分確りと握ることが出来る。そして親指ｔｃでコンセントの上面８ｃを押す力に抗して握りずれ止機能を果す。ここでも負担を感じることなくプラグ２ｃをコンセント５ｃより引き抜くことが出来る。ここでも充分な握りずれ止機能を発揮させるべく、後方へ略平行以上の形で伸びていることが肝要である。プラグ体３ｃの握り部６ｃが目に見えた後細りの傾斜面を持たないことが大事で、なるべくは後太りの形状が好ましい。
【手続補正書】
【提出日】平成17年1月17日(2005.1.17)
【手続補正１】
【補正対象書類名】明細書
【補正対象項目名】００１３
【補正方法】変更
【補正の内容】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ先太りを含む目に見えて先細りでない形状のことである。目立たない緩やかな後細り程度は問題にならない。この実施例の握り部６ａの後端部までの長さは、本発明の機能とその効果の生ずる適切な長さの一つの目安を示すもので、不必要に長くしても意味のないことである。従って、握り部６aがその内側にこの適切な長さを含むものは、当然、本発明の機能とその効果を有しており、本発明の範囲に包含されるものであ。
【手続補正書】
【提出日】平成17年1月19日(2005.1.19)
【手続補正１】
【補正対象書類名】明細書
【補正対象項目名】００１３
【補正方法】変更
【補正の内容】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ先太りを含む目に見えて先細りでない形状のことである。目立たない緩やかな後細り程度は問題にならない。又、握り部６ａの長さは、長い分には何らの影響を受けずに実施することが出来る。
【手続補正書】
【提出日】平成17年1月20日(2005.1.20)
【手続補正１】
【補正対象書類名】特許請求の範囲
【補正対象項目名】請求項１
【補正方法】変更
【補正の内容】
【請求項１】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方の前記プラグ体の先端より前記握る手の第２指から第５指に至る４指幅程の位置の前後に至る部分に握りずれ止め手段を備える前記第３指以後側の指の握り部を有し前記第１指でコンセントの上面を押して引き抜くことを特徴とする差込みプラグ。
【手続補正２】
【補正対象書類名】特許請求の範囲
【補正対象項目名】請求項２
【補正方法】変更
【補正の内容】
【請求項２】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方の前記プラグ体の先端より前記握る手の第２指から第５指に至る４指幅程の位置の前後に至る部分にプラグ体後部より引き出されるコードの外周を該コードと分離されて後方へ略平行以上の形で伸びて太く覆う握りずれ止め手段を備える前記第３指以後側の指の握り部を有し前記第１指でコンセントの上面を押して引き抜くことを特徴とする差込みプラグ。
【手続補正３】
【補正対象書類名】特許請求の範囲
【補正対象項目名】請求項３
【補正方法】変更
【補正の内容】
【請求項３】
プラグ体がコンセントに差込まれる脚部を備えるその先端側にその引き抜き時に握る手の第１指側の位置する表側部と第２指側の位置する裏側部を備え、プラグ体の前記表側部と前記裏側部の後方の前記プラグ体の先端より前記握る手の第２指から第５指に至る４指幅程の位置の前後に至る部分にプラグ体後部より引き出されるコードの外周を該コードと分離されて覆いその後端に隆起部の握りずれ止め手段を備える前記第３指以後側の指の握り部を有し前記第１指でコンセントの上面を押して引き抜くことを特徴とする差込みプラグ。
【手続補正４】
【補正対象書類名】特許請求の範囲
【補正対象項目名】請求項４
【補正方法】変更
【補正の内容】
【請求項４】
プラグ体がコンセントに差込まれる脚部を備えるその先端側にその引き抜き時に握る手の第１指側の位置する表側部と第２指側の位置する裏側部を備えると共に前記表側部と前記裏側部の後方に前記プラグ体の先端より前記握る手の第２指から第５指に至る４指幅程の位置の前後に伸びる後部を備え、前記握る手の第３指の位置以後の部分に握りずれ止め手段を備える前記第３指以後側の指の握り部を有し前記第１指でコンセントの上面を押して引き抜くことを特徴とする差込みプラグ。
【手続補正書】
【提出日】平成17年1月24日(2005.1.24)
【手続補正１】
【補正対象書類名】明細書
【補正対象項目名】０００６
【補正方法】変更
【補正の内容】
【０００６】
上記目的を達成するために、本発明の差込みプラグは、プラグ体がコンセントに差込まれる脚を備えるその先端側にその引き抜き時に握る手の第１指側の位置する表側部と第２指側の位置する裏側部を備え、プラグ体の前記表側部と前記裏側部の後方の前記プラグ体の先端より前記握る手の第２指から第５指に至る４指幅程の位置の前後に至る部分に握りずれ止手段を備える第３指以後側の指の握り部を設け、前記第１指でコンセントの上面を押して引き抜くようにしたものである。
【手続補正書】
【提出日】平成17年1月24日(2005.1.24)
【手続補正１】
【補正対象書類名】特許請求の範囲
【補正対象項目名】請求項５
【補正方法】変更
【補正の内容】
【請求項５】
握りずれ止め手段がその先端部より略平行以上の形で後方へ伸びた略長方体のプラグ体の握る手の第３指の位置以後の部分の握り部からなることを特徴とする請求項４記載の差込みプラグ。
【手続補正書】
【提出日】平成17年1月26日(2005.1.26)
【手続補正１】
【補正対象書類名】明細書
【補正対象項目名】００１３
【補正方法】変更
【補正の内容】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ先太りを含む目に見えて先細りでない形状のことである。目立たない緩やかな後細り程度は問題にならない。
【手続補正書】
【提出日】平成17年2月9日(2005.2.9)
【手続補正１】
【補正対象書類名】特許請求の範囲
【補正対象項目名】請求項１
【補正方法】変更
【補正の内容】
【請求項１】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方の前記プラグ体の先端より前記握る手の第２指から第５指に至る４指幅程の位置の前後に至る部分に握りずれ止め手段を備える前記第３指以後側の指の握り部を有し前記第１指でコンセントの上面を押して引き抜くことを特徴とする差込みプラグ。
【手続補正２】
【補正対象書類名】特許請求の範囲
【補正対象項目名】請求項２
【補正方法】変更
【補正の内容】
【請求項２】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方の前記プラグ体の先端より前記握る手の第２指から第５指に至る４指幅程の位置の前後に至る部分にプラグ体後部より引き出されるコードの外周を該コードと分離されて後方へ略平行以上の形で伸びて太く覆う握りずれ止め手段を備える前記第３指以後側の指の握り部を有し前記第１指でコンセントの上面を押して引き抜くことを特徴とする差込みプラグ。
【手続補正３】
【補正対象書類名】特許請求の範囲
【補正対象項目名】請求項３
【補正方法】変更
【補正の内容】
【請求項３】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方の前記プラグ体の先端より前記握る手の第２指から第５指に至る４指幅程の位置の前後に至る部分にプラグ体後部より引き出されるコードの外周を該コードと分離されて覆いその後端に隆起部の握りずれ止め手段を備える前記第３指以後側の指の握り部を有し前記第１指でコンセントの上面を押して引き抜くことを特徴とする差込みプラグ。
【手続補正４】
【補正対象書類名】特許請求の範囲
【補正対象項目名】請求項４
【補正方法】変更
【補正の内容】
【請求項４】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備えると共に前記表側部と前記裏側部の後方に前記プラグ体の先端より前記握る手の第２指から第５指に至る４指幅程の位置の前後に伸びる後部を備え、前記握る手の第３指の位置以後の部分に握りずれ止め手段を備える前記第３指以後側の指の握り部を有し前記第１指でコンセントの上面を押して引き抜くことを特徴とする差込みプラグ。
【手続補正書】
【提出日】平成17年2月10日(2005.2.10)
【手続補正１】
【補正対象書類名】明細書
【補正対象項目名】０００６
【補正方法】変更
【補正の内容】
【０００６】
上記目的を達成するために、本発明の差込みプラグは、プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方の前記プラグ体の先端より前記握る手の第２指から第５指に至る４指幅程の位置の前後に至る部分に握りずれ止手段を備える第３指以後側の指の握り部を設け、前記第１指でコンセントの上面を押して引き抜くようにしたものである。
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方より前記プラグ体の先端より前記握る手の第２指から第５指に至る４指幅程の位置の前後に至る間の部分に握りずれ止め手段を備える前記第３指以後側の指の握り部を有し前記第１指でコンセントの上面を押して引き抜くことを特徴とする差込みプラグ。
【請求項２】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方より前記プラグ体の先端より前記握る手の第２指から第５指に至る４指幅程の位置の前後に至る間の部分にプラグ体後部より引き出されるコードの外周を該コードと分離されて後方へ略平行以上の形で伸びて太く覆う握りずれ止め手段を備える前記第３指以後側の指の握り部を有し前記第１指でコンセントの上面を押して引き抜くことを特徴とする差込みプラグ。
【請求項３】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方より前記プラグ体の先端より前記握る手の第２指から第５指に至る４指幅程の位置の前後に至る間の部分にプラグ体後部より引き出されるコードの外周を該コードと分離されて覆いその後端で太く隆起した隆起部の握りずれ止め手段を備える前記第３指以後側の指の握り部を有し前記第１指でコンセントの上面を押して引き抜くことを特徴とする差込みプラグ。
【請求項４】
プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備えると共に前記表側部と前記裏側部の後方より前記プラグ体の先端より前記握る手の第２指から第５指に至る４指幅程の位置の前後に伸びる後部を備え、前記握る手の第３指の位置以後の部分に握りずれ止め手段を備える前記第３指以後側の指の握り部を有し前記第１指でコンセントの上面を押して引き抜くことを特徴とする差込みプラグ。
【請求項５】
握りずれ止め手段がその先端部より略平行以上の形で後方へ伸びた略長方体のプラグ体の握る手の第３指の位置以後の部分の握り部からなることを特徴とする請求項４記載の差込みプラグ。
【請求項６】
握りずれ止め手段がプラグ体の握る手の第３指の位置以後の部分の握り部の後端に形成した隆起部からなることを特徴とする請求項４記載の差込みプラグ。
【請求項７】
握りずれ止め手段がプラグ体の握る手の第３指の位置以後の部分の握り部の後部に形成した窪み部とその後側の隆起部からなることを特徴とする請求項４記載の差込みプラグ。
【手続補正書】
【提出日】平成17年2月15日(2005.2.15)
【手続補正１】
【補正対象書類名】明細書
【補正対象項目名】全文
【補正方法】変更
【補正の内容】
【発明の詳細な説明】
【技術分野】
【０００１】
本発明は、電源コンセントに差込んで電力を引出すのに広く用いられている差込みプラグに関する。特に、コードが差込み脚と略同心、且つ平行に引出されている形の差込みプラグに関する。
【背景技術】
【０００２】
電源コンセントに差込まれたプラグを引き抜くのは意外と面倒に感じることがある。特に、コンセントが壁等に固定されていない場合は、一方の手でコンセントを押えておかねばならないので両手を使う必要がある。本来、固く嵌まったものを支点を持たずに引き抜くという動作は安定性に欠けるのでやり辛い面（欠点）がある。例えば、奥まった所にあるコンセントからプラグを片手で抜くような際に、プラグが抜けた瞬間の勢いで腕や手を周囲の物にぶつけることもある。
【０００３】
プラグ体の後部に引き抜き用の指穴あるいは紐穴を設け、それらの穴に指や輪状にした紐を通して引き抜き易くしたもの、あるいはプラグ体後部のコード部分にプラグ体側にその先端部を固定されたビニールやゴム等の比較的長いパイプやタブを設け、該部を手で持って引き抜くことが出来るようにしたものが知られている。これらはプラグを直に手で持たずに引き抜けるが、不安定であることには変わりなく、引き抜く際にプラグの脚を曲げたり、プラグが抜けた瞬間の勢いでプラグを周囲の物にぶつけたりしやすい欠点がある。特に、潰れやすくて伸びやすいビニールや織物のパイプを用いたものでは、握った力でコードを押圧して直にコードを引張るのと変わりなく、コードを曲げや引張りの力から十分保護しえない。実開平１−７９２８１号広報に開示されるものは、手の入らない多数の密接したコネクタージャックに差し込むプラグに関わるもので、各部の太さや長さ等に関わる限定等もなく、挿脱用部材部分を握って固定されているコネクタージャックに抜き差し出来るようにしたものである。プラグを直に手で掴んで抜き差し出来るコネクタージャックのプラグに対してこの構造を敢えて採る必要性のない範疇の提案である。
実開昭４８−５２０９０号広報に開示されるものは、プラグ本体の後端に握り部を設けて該握り部を握って引き抜くようにしたものである。コンセント面に当てた親指等を支点にして引き抜くものではないので、引き抜く手の全体はプラグ本体後部の握り部に位置するものであって、握り部の長さはプラグ本体の後端より手の幅程の長さに長く出っ張ったものになる。
実開昭４９−８４６８８号広報に開示されるものは、プラグの保持部を形成する絶縁体の後部を一旦細くした後にコードの自動巻取り口の開口部より大きい部分のＢ部を設けたものである。そして、該Ｂ部を直に掴んでも引き抜くことが出来ることが開示されている。Ｂ部の前の細い部分の長さや細さ等の形状は、電気機器等のコードの自動巻取り口でのプラグの衝突を緩衝する為に、絶縁体の材質によって決まるものである。
これまで、普通にはプラグ体部分を直に掴んで引き抜き得るようになっているプラグ体の後部に、更に引き抜きの為の掴み部や握り部を設けるのは、コンセントとの嵌め合いが特にきついとか、指の力が弱いとか、面倒であるとかの場合であるが、むしろ、この部分に長く出っ張るもの等があれば、その幾分かの利益よりも邪魔になることの方が大きいので、この類の電源用の差込みプラグは今日まで殆んど実用されるに至っていない。
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
先行技術文献１  実開昭５５−７９０８４号広報
先行技術文献２  実開昭６２−１２３０７６号広報
先行技術文献３  実開平１−７９２８１号広報、
先行技術文献４  実開平１−１５０３８２号広報
先行技術文献５  実開平１−１００３８６号広報
先行技術文献６  特開平１−２３９７７９号広報
先行技術文献７  実開昭４８−５２０９０号広報
先行技術文献８  実開昭４９−８４６８８号広報
先行技術文献９  実開昭６１−１７７３７６号広報
【特許文献１】特許第２９６７６７５号広報
【発明の開示】
【発明が解決しようとする課題】
【０００５】
プラグを片手で安全且つ楽に引き抜くには、親指(第１指)の押す力を用いるのがよい。その為には、親指でコンセント面を押す力をプラグ体に伝えるべくその後部側の部分が残りの指でずれないように握られておくことが肝要である。しかも、そこに負担を感じないことが大事である。つまり、その握られる部分が指に大きな負担を与えることなくずれる方向への側方力に抗しきれるような形や性状が与えられている必要がある。
本発明の目的は、相手側のコンセントが固定されているいないに関わらず、プラグ体の内部や周りに特別な装置を設けることなく、片手で静かに楽に引き抜くことの出来る差込みプラグを提供することにある。
【課題を解決するための手段】
【０００６】
上記目的を達成するために、本発明の差込みプラグは、プラグ体がその先端に相手側コンセントに差し込むように先方へ突出した脚部を備えており、プラグ体の後部よりコードが引き出される差込みプラグにおいて、プラグ体がその先端側にその引き抜き時に握る手の第１指を当てる表側部と第２指で受ける裏側部を備え、プラグ体の前記表側部と前記裏側部の後方より前記プラグ体の先端より前記握る手の第２指から第５指に至る４指幅程の位置の前後に至る間の部分に握りずれ止手段を備える第３指以後側の指の握り部を設け、前記第１指でコンセントの上面を押して引き抜くようにしたものである。
【０００７】
上記握りずれ止手段はその後端に隆起部を備える握り部とすることが出来る。
【０００８】
上記握りずれ止手段はコードの外周を後方へ略平行以上の形に伸びて太く覆う握り部とすることも出来る。
【０００９】
上記握りずれ止手段はその先端部より後方へ略平行以上の形で伸びた略長方体のプラグ体の後部に設けた握り部にすることも出来る。
【発明の効果】
【００１０】
本発明は以上のように構成されるので、相手側が固定されていないコンセントであっても、プラグ体を含むその後部を片手で握って親指でコンセントの上面を押すようにすることで楽に引き抜くことの出来る差込みプラグを得ることが出来る。
又、プラグ体の内部や周りに特別な装置を設けることなく、簡明なプラグ構造によって片手で引き抜くことの出来る差込みプラグを得ることが出来る。
又、その後端に隆起部を備える握り部とすることによって、コードへの悪影響を抑えつつ一層楽に引き抜くことの出来る差込みプラグを得ることが出来る。
【発明を実施するための最良の形態】
【００１１】
プラグ体を含むその後部側を片手で握って静かに楽に引き抜くことの出来る差込みプラグを、構造を複雑にすることなく最小の構成部品によって実現した。
【実施例１】
【００１２】
この実施例においては、プラグ体の後部より後方へ伸びる握り部がその後端に隆起部を備えている。以下に実施例を図１を参照して説明する。電気装置より伸びるコード１の端にある差込みプラグ２はプラグ体３の先端に二つの脚部４を備え、該脚部４をコンセント５に差込んで使用される。安定した通電が得られるように脚部４は確りとコンセント５に保持されている。家電用の電気コードは丸い被覆線を横に並べてくっ付けたようなものが多く、柔軟である。通常、プラグ体３のコード引出し部にはコードを傷めないように保護する適度に曲がる短い保護ブッシュが設けられているが、ここではプラグ体３の後部よりコード１の外周を覆って後方へ長く伸びる握り部６が形成されている。該握り部６は保護ブッシュと同じような多数の横溝を有し柔軟性を備えており、その後側の端部には太く隆起した隆起部７が形成されている。ここではプラグ体３の先端より隆起部７までの間隔である符号Ｓの寸法は70mm程になっている。握り部６の太さは8.5mm程の円形に近い形になっている。図に仮想線でプラグ２を引き抜く際の手の指の位置関係が示されている。親指(第１指)ｔをプラグ体３の表側に当て、人差し指(第２指)ｉをプラグ体３の裏側を受けるように当てて持ち、中指(第３指)ｍ、薬指（第4指）ｒ、小指（第５指）ｌが握り部６を裏側から抱くように握っている。この状態で親指ｔを先方へずらすようにしてその先でコンセント５の上面８を押すことにより静かにプラグ２をコンセント５より引き抜くことができる。この際、小指ｌの後側の側部が隆起部７に押し当てられ握り部６を握っている各指の後方向へのずれ止めがなされる。従って、握り部６を持つ各指は軽く握っているくらいでよく、隆起部７がより効果的に握りずれ止機能を果たしている。親指ｔでコンセントの上面８を押す際に、人差し指ｉの前側の側部でコンセントの上面８を同時に押してやるようにすることも出来る。握り部６はプラグ体と繋がる根元部分をより強く造られ、コード１側とは分離されている。
【実施例２】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。そこで、中指ｍａ、薬指ｅａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ先太りを含む目に見えて先細りでない形状のことである。目立たない緩やかな後細り程度は問題にならない。
【実施例３】
【００１４】
握り部の長さはさらに一杯に短くして実施することも出来る。以下に図３を参照して説明する。ここではプラグ体３ｂの先端より隆起部７ｂまでの間隔である符号Ｓｂの寸法は50mm程になっている。図に仮想線で示されるプラグ２ｂを引き抜く際の各指の位置関係では、中指ｍｂと薬指ｒｂの二本がプラグ体３ｂと垂直の端面を持つ太い隆起部７ｂの間にあって握り部６ｂを裏側から握っている。この際にあてがわれる指の数や指の握りの深さ等は扱う人の手の大きさによって変わってくる。親指ｔｂの先でコンセントの上面８ｂを押す力に抗して薬指ｒｂの後側の側部が隆起部７ｂに押し当てられることにより握りずれ止め機能が果され、楽に静かにプラグ２ｂをコンセント５ｂより引き抜くことが出来る。
【実施例４】
【００１５】
握り部はプラグ体自体に形成することも出来る。図４に前例と同じように短いプラグ体に短い握り部を形成した例が示されている。ここで、プラグ体３ｃはその先端部より後方へ真っ直ぐに伸びた長方体の形になっている。先端より後端までの長さである符号Ｓｃの寸法は50mm程と通常のこの種の差込みプラグに比べ長くなっている。図に仮想線で示されるプラグ２ｃを引き抜く際の各指の位置関係では、中指ｍｃと薬指ｒｃの二本がプラグ体３ｃの後側の握り部６ｃを裏側から握っている。プラグ体３ｃがこの形であれば中指ｍｃと薬指ｅｃは握り部６ｃを十分確りと握ることが出来る。そして親指ｔｃでコンセントの上面８ｃを押す力に抗して握りずれ止機能を果す。ここでも負担を感じることなくプラグ２ｃをコンセント５ｃより引き抜くことが出来る。ここでも充分な握りずれ止機能を発揮させるべく、後方へ略平行以上の形で伸びていることが肝要である。プラグ体３ｃの握り部６ｃが目に見えた後細りの傾斜面を持たないことが大事で、なるべくは後太りの形状が好ましい。
【実施例５】
【００１６】
図５は握り部をプラグ体自体に備える他の実施例である。ここでは、プラグ体３ｄの握り部６ｄ部分の後側に窪み部９が設けてあり、その後側には隆起した隆起部７ｄが形成されている。プラグ体３ｄの先端より隆起部７ｄまでの間隔である符号Ｓｄの寸法は45mm程になっている。図に仮想線で示されるプラグ２ｄを引き抜く際の各指の位置関係では、薬指ｒｄが窪み部９の中にあって隆起部７ｄ側を手のひらに押し付けるようにして確り握っている。そこで、該握り部６ｄを握っている指の後方向へのずれに対する抵抗がより一層強められる。中指ｍｄと薬指ｒｄの二本で握りずれ止機能を充分に発揮することが出来る。
以上のように、隆起部の位置など握り部の形状、寸法そして性状等は最初に述べた引き抜き操作の方法と密接に関連して決められている。実施例に示した各握り部は、プラグの引き抜きに充分な握りずれ止機能を果たすことの出来る握りずれ止手段を備えるものである。
【産業上の利用可能性】
【００１７】
一般家庭用を含め電気コードの差込みプラグとして広く利用できる。
【図面の簡単な説明】
【００１８】
【図１】実施例を示す差込みプラグの平面図である。
【図２】第二の実施例を示す差込みプラグの平面図である。
【図３】第三の実施例を示す差込みプラグの平面図である。
【図４】第四の実施例を示す差込みプラグの平面図である。
【図５】第五の実施例を示す差込みプラグの平面図である。
【符号の説明】
【００１９】
１、 １ａ、１ｂ、１ｃ、１ｄ  コード
２、２ａ、２ｂ、２ｃ、２ｄ  プラグ
３、３ａ、３ｂ、３ｃ、３ｄ  プラグ体
４、４ａ、４ｂ、４ｃ、４ｄ  脚
５、５ａ、５ｂ、５ｃ、５ｄ  コンセント
６、６ａ、６ｂ、６ｃ、６ｄ  握り部
７、７ｂ、７ｄ  隆起部
９  窪み部
ｔ、ｔａ、ｔｂ、ｔｃ、ｔｄ  親指(第１指)
ｉ、ｉａ、ｉｂ、ｉｃ、ｉｄ  人差し指(第２指)
ｍ、ｍａ、ｍｂ、ｍｃ、ｍｄ  中指(第３指)
ｒ、ｒａ、ｒｂ、ｒｃ、ｒｄ  薬指(第4指)
ｌ、ｌａ  小指(第５指）
【手続補正書】
【提出日】平成17年4月19日(2005.4.19)
【手続補正１】
【補正対象書類名】明細書
【補正対象項目名】０００３
【補正方法】変更
【補正の内容】
【０００３】
プラグ体の後部に引き抜き用の指穴あるいは紐穴を設け、それらの穴に指や輪状にした紐を通して引き抜き易くしたもの、あるいはプラグ体後部のコード部分にプラグ体側にその先端部を固定されたビニールやゴム等の比較的長いパイプやタブを設け、該部を手で持って引き抜くことが出来るようにしたものが知られている。これらはプラグを直に手で持たずに引き抜けるが、不安定であることには変わりなく、引き抜く際にプラグの脚を曲げたり、プラグが抜けた瞬間の勢いでプラグを周囲の物にぶつけたりしやすい欠点がある。特に、潰れやすくて伸びやすいビニールや織物のパイプを用いたものでは、握った力でコードを押圧して直にコードを引張るのと変わりなく、コードを曲げや引張りの力から十分保護しえない。実開平１−７９２８１号公報に開示されるものは、手の入らない多数の密接したコネクタージャックに差し込むプラグに関わるもので、各部の太さや長さ等に関わる限定等もなく、挿脱用部材部分を握って固定されているコネクタージャックに抜き差し出来るようにしたものである。プラグを直に手で掴んで抜き差し出来るコネクタージャックのプラグに対してこの構造を敢えて採る必要性のない範疇の提案である。
実開昭４８−５２０９０号公報に開示されるものは、コードを直に掴んで引抜くことによる事故の発生を避ける為に、プラグ本体の後端に握り部を設けて、該握り部を握って引き抜くようにしたものである。引き抜く手の全体はプラグ本体後部の握り部に位置するものであって、握り部の長さはプラグ本体の後端より手の幅程の長さに長く出っ張ったものになる。
実開昭４９−８４６８８号公報に開示されるものは、電気機器のコードの自動巻取機に於けるプラグ部分の衝突によるコードの断線の欠点を除くことを目的の一つとしている。
プラグの保持部を形成する絶縁体の後部を一旦細くした後にコードの自動巻取り口の開口部より大きい部分のＢ部を設けたものである。そして、プラグの脱操作時にはこの大きくした部分Ｂを保持しても容易に可能とされている。Ｂ部の前の細い部分の太さ並びに長さは、使用される絶縁体の材質により選定されることが述べられている。
【手続補正２】
【補正対象書類名】明細書
【補正対象項目名】０００４
【補正方法】変更
【補正の内容】
【０００４】
プラグ体の両側ないし片側に突出したレバーやスライド釦を設け、該レバーやスライド釦を指で操作してコンセントからプラグを引き抜くようにしたものは静かに抜ける利点があるが、プラグ自体を特別のものにしなくてはならない上に、構造的にも複雑で形全体が大きくなってしまう欠点がある。
先行技術文献１  実開昭５５−７９０８４号公報
先行技術文献２  実開昭６２−１２３０７６号公報
先行技術文献３  実開平１−７９２８１号公報、
先行技術文献４  実開平１−１５０３８２号公報
先行技術文献５  実開平１−１００３８６号公報
先行技術文献６  特開平１−２３９７７９号公報
先行技術文献７  実開昭４８−５２０９０号公報
先行技術文献８  実開昭４９−８４６８８号公報
先行技術文献９  実開昭６１−１７７３７６号公報
【特許文献１】特許第２９６７６７５号公報
【手続補正３】
【補正対象書類名】明細書
【補正対象項目名】０００５
【補正方法】変更
【補正の内容】
【０００５】
本発明の目的は、従来のプラグの前述のような欠点に鑑み、プラグ体の内部や周りに特別な装置を設けることなく、相手側のコンセントが固定されているかいないかに関わらず、片手で静かに楽に引き抜くことの出来る差込みプラグを提供することにある。
【手続補正４】
【補正対象書類名】明細書
【補正対象項目名】０００６
【補正方法】変更
【補正の内容】
【０００６】
上記目的を達成するために、本発明の差込みプラグは、プラグ体がその先端に相手側コンセントに差し込むように先方へ突出した脚部を備えており、プラグ体の後部よりコードが引き出される差込みプラグにおいて、プラグ体の先端より手の第２指から第５指の４指幅程の位置に至る間の部分にプラグ体とその後側の握りずれ止手段を備える第３指以後の指の握り部を備えており、プラグ引抜き時に第１指と第２指をプラグ体の先端側に位置せしめ第３指以後の指で握り部を握り、第１指と握り部を握る指との間を第１指がコンセント面を押す方向のずらして引抜くようにしたものである。
プラグを片手で安全且つ楽に引き抜くには、親指(第１指)の押す力を用いるのがよい。その為には、親指(第１指)でコンセント面を押す力をプラグ体に伝えるべくその後部側の握り部の部分が残りの指でずれないように握られておくことが肝要である。しかも、そこに負担を感じないことが大事である。つまり、その握られる部分が指に大きな負担を与えることなくずれる方向への側方力に抗しきれるような形や性状が与えられている必要がある。
本発明の差込みプラグにおいては、親指(第１指)をプラグ体の表側に当て、人差し指(第２指)をプラグ体の裏側を受けるように当てて持ち、中指(第３指)以後の指が握り部を裏側から抱くように握る。この状態で親指(第１指)を先方へずらすようにしてその先でコンセントの上面を押すようにすることにより静かにプラグをコンセントより引き抜くことができる。この時、人差し指(第２指)の前側の側部でコンセントの上面を同時に押してやるようにすることも出来る。隆起部などの握り部の形状、寸法、そして性状等はこの引き抜き操作の方法と密接に関連して決められる。
【手続補正５】
【補正対象書類名】明細書
【補正対象項目名】０００７
【補正方法】変更
【補正の内容】
【０００７】
小指や薬指で細いコード部分を滑らないように確り握っておくのは大変難しくてやり辛い。上記握りずれ止め手段を備える握り部は、プラグ体の後部より引き出されるコードの引き出し部分の外周部を、該コードと分離されて、目立たない緩やかな後細りの形から後太りの形の間で後方に伸びて太く覆った握りずれ止め手段を備える握り部にすることが出来る。
該握り部は、従来のプラグ体後部のコード引き出し部に設けられている適度に曲がる保護ブッシュと同じように、多数の横溝を有するものにすることが出来るが、保護ブッシュのように後細りに傾斜した形にはしない。目立たない緩やかな後細り程度は問題ないが、後方へ平行に真直ぐ伸びるか、むしろやや後太りの形がよい。そして、握りの押圧で変形し難く、該握り部を握る指が握り辛さを感じることなく確りと握れる太さにする。
【手続補正６】
【補正対象書類名】明細書
【補正対象項目名】０００８
【補正方法】変更
【補正の内容】
【０００８】
又、上記握りずれ止手段を備える握り部は、プラグ体の後部より引き出されるコードの引き出し部分の外周部を、該コードと分離されて覆い、その後端で太く隆起する隆起部の握りずれ止め手段を備える握り部とすることも出来る。
この握りずれ止め手段によれば、プラグを引抜く際に、握り部を握っている指の後側の指の側部が隆起部に押し当てられ、各指の後方へのずれ止めがなされる。従って、握り部を持つ各指は軽く握っているくらいでよく、隆起部がより効果的に握りずれ止機能を果たしてくれる。
【手続補正７】
【補正対象書類名】明細書
【補正対象項目名】０００９
【補正方法】変更
【補正の内容】
【０００９】
さらに、上記握りずれ止手段を備える握り部は、プラグ体の先端より手の第２指から第５指の４指幅程の位置に至る間の部分にプラグ体がその先端側から目立たない緩やかな後細りの形から後太の形の間で後側に伸びた握りずれ止手段を備える握り部にすることも出来る。
ここでも充分な握りずれ止機能を発揮させるべく、プラグ体の握り部が目に見えた後細りの傾斜面を持たないことが大事で、なるべくは後太りの形状が好ましい。
又、プラグ体の握り部部分の後部に窪み部とその後側で隆起する隆起部を設けることで、該窪み部を握る指の後ろ側に、後方向へのずれに対する抵抗をより強く発揮せしめるようにすることも出来る。
【手続補正８】
【補正対象書類名】明細書
【補正対象項目名】００１０
【補正方法】変更
【補正の内容】
【００１０】
本発明によれば、隆起部の位置など握り部の形状、寸法そして性状等が、以上に述べた引き抜き操作の方法に関連して決められており、握り部がプラグ体の先端側から手の４指幅程の位置に設けられる。又、さらに短くして実施することも出来る。そして、第１指と握り部を握る第３指以後の指との間をずらすようにした静かなプラグの引抜きを行うことが出来る。
前述した従来のプラグように、プラグが抜けた瞬間の勢いで腕や手を周囲の物にぶつけるようなことがない。
さらに、相手側が固定されていないコンセントであっても、片手で引抜くことの出来る差込みプラグを得ることが出来る。
又、握り部がその後端の効果的な位置に隆起部の握りずれ止め手段を備えることによって、一層楽に引抜くことが出来る差込みプラグを得ることが出来る。
さらに、プラグ体の内部や周りに特別な装置を設けることなく、簡明な構造で引抜き時にコードへの悪影響を与えることのない差込みプラグを得ることが出来る。
【手続補正９】
【補正対象書類名】明細書
【補正対象項目名】００１１
【補正方法】変更
【補正の内容】
【００１１】
プラグ体の先端側から手の４指幅程の位置に至る間にプラグ体を含むその後側の握り部を設け、第１指と第２指をプラグ体の先端側に位置せしめ、第３指以後の指で握り部を握り、第１指と握り部を握る指との間を第１指がコンセント面を押す方向のずらして引抜くことにより、片手で静かに楽に引き抜くことの出来る差込みプラグを実現した。
【手続補正１０】
【補正対象書類名】明細書
【補正対象項目名】００１３
【補正方法】変更
【補正の内容】
【００１３】
前述のような方法でプラグを引き抜く際に、小指や薬指で細いコード部分を滑らないように確り握っておくのは大変難しくてやり辛いものである。この実施例においては、プラグ体の後部より後方へ略真っ直ぐに伸びる握り部を備えている。以下に図２を参照して説明する。ここで、以後の実施例においては前述の実施例と同じ部分については各実施例毎に同一の符号にａ、ｂ、ｃ、ｄの添字を付して示し、その詳しい説明を省略して主に異なる部分について説明する。ここではプラグ体３ａの後部よりコード１ａの外周を覆って後方へ向かって真っ直ぐに伸びる握り部６ａを備えている。プラグ体３ａの先端より握り部６ａの後端部までの長さである符号Ｓａの寸法は75mm程になっている。幅寸法5.3mm、厚さ寸法2.6mmのコード１ａに対し、握り部６ａの太さである符号Ｔの寸法は8.5mm程の円形に近い形になっている。握りの押圧で変形し難く、握り易い太さになっている。保護ブッシュと同じような多数の横溝を有しているが、保護ブッシュのような後細りに傾斜した形にはなっていない。平行かむしろ稍後太りの形になっている。目立たない緩やかな後細り程度は問題にならない。そこで、中指ｍａ、薬指ｒａ、小指ｌａは握り部６ａを特に握り辛さを感じることなく普通の感覚で確りと握ることが出来る。そして該握り部６ａは、親指ｔａでコンセントの上面８ａを押す力を前記３指を介して受け止め、プラグ体３ａに伝えるに充分な後方向へのずれに対する抵抗力を発揮する。つまり握り部６ａ自体が握りずれ止め機能を確りと果たしている。握り部６ａはある程度確り握っても変形し難いものがよい。コード１ａとは分離されている。この例で示すような多数の横溝を有しない適度に硬い滑り難いゴム材等で成型したものであっても充分である。又、形状は後方へ略平行以上の形で伸びていることが肝要である。ここに後方へ略平行以上にと云うのは、後方へ目に見えて先細りでない形状を含む先太りの形のことである。
【手続補正１１】
【補正対象書類名】明細書
【補正対象項目名】００１４
【補正方法】変更
【補正の内容】
【００１４】
握り部の長さはさらに短くして実施することも出来る。以下に図３を参照して説明する。ここではプラグ体３ｂの先端より隆起部７ｂまでの間隔である符号Ｓｂの寸法は50mm程になっている。図に仮想線で示されるプラグ２ｂを引き抜く際の各指の位置関係では、中指ｍｂと薬指ｒｂの二本がプラグ体３ｂと垂直の端面を持つ太い隆起部７ｂの間にあって握り部６ｂを裏側から握っている。この際にあてがわれる指の数や指の握りの深さ等は扱う人の手の大きさによって変わってくる。親指ｔｂの先でコンセントの上面８ｂを押す力に抗して薬指ｒｂの後側の側部が隆起部７ｂに押し当てられることにより握りずれ止め機能が果され、楽に静かにプラグ２ｂをコンセント５ｂより引き抜くことが出来る。
【手続補正１２】
【補正対象書類名】明細書
【補正対象項目名】００１５
【補正方法】変更
【補正の内容】
【００１５】
握り部はプラグ体自体に形成することも出来る。以下に図４を参照して説明する。ここで、プラグ体３ｃはその先端部より後方へ真っ直ぐに伸びた長方体の形になっている。先端より後端までの長さである符号Ｓｃの寸法は50mm程と通常のこの種の差込みプラグに比べ長くなっている。図に仮想線で示されるプラグ２ｃを引き抜く際の各指の位置関係では、中指ｍｃと薬指ｒｃの二本がプラグ体３ｃの後側の握り部６ｃを裏側から握っている。プラグ体３ｃがこの形であれば中指ｍｃと薬指ｒｃは握り部６ｃを十分確りと握ることが出来る。そして親指ｔｃでコンセントの上面８ｃを押す力に抗して握りずれ止機能を果す。ここでも負担を感じることなくプラグ２ｃをコンセント５ｃより引き抜くことが出来る。ここでも充分な握りずれ止機能を発揮させるべく、後方へ略平行以上の形で伸びていることが肝要である。プラグ体３ｃの握り部６ｃが目に見えた後細りの傾斜面を持たないことが大事で、なるべくは後太りの形状が好ましい。
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
プラグ体がその先端に相手側コンセントに差し込むように先方へ突出した脚部を備えており、プラグ体の後部よりコードが引き出される差込みプラグにおいて、プラグ体の先端より手の第２指から第５指の４指幅程の位置に至る間の部分に前記プラグ体とその後側の握りずれ止め手段を備える第３指以後の指の握り部を備え、プラグ引抜き時に第１指と第２指を前記プラグ体の先端側に位置せしめ前記第３指以後の指で前記握り部を握り、前記第１指と前記握り部を握る指との間を前記第１指がコンセント面を押す方向にずらして引き抜くことを特徴とする差込みプラグ。
【請求項２】
プラグ体がその先端に相手側コンセントに差し込むように先方へ突出した脚部を備えており、プラグ体の後部よりコードが引き出される差込みプラグにおいて、プラグ体の先端より手の第２指から第５指の４指幅程の位置に至る間の部分に前記プラグ体と前記プラグ体の後部より引き出されるコードの引き出し部分を有しており、前記コードの引き出し部分の外周部を該コードと分離されて目立たない緩やかな後細りの形から後太りの形の間で後方に伸びて太く覆う握りずれ止め手段を備える第３指以後の指の握り部を備え、プラグ引抜き時に第１指と第２指を前記プラグ体の先端側に位置せしめ前記第３指以後の指で前記握り部を握り、前記第１指と前記握り部を握る指との間を前記第１指がコンセント面を押す方向にずらして引き抜くことを特徴とする差込みプラグ。
【請求項３】
プラグ体がその先端に相手側コンセントに差し込むように先方へ突出した脚部を備えており、プラグ体の後部よりコードが引き出される差込みプラグにおいて、プラグ体の先端より手の第２指から第５指の４指幅程の位置に至る間の部分に前記プラグ体と前記プラグ体の後部より引き出されるコードの引き出し部分を有しており、前記コードの引き出し部分の外周部を該コードと分離されて覆いその後端で太く隆起した隆起部の握りずれ止め手段を備える第３指以後の指の握り部を備え、プラグ引抜き時に第１指と第２指を前記プラグ体の先端側に位置せしめ前記第３指以後の指で前記握り部を握り、前記第１指と前記握り部を握る指との間を前記第１指がコンセント面を押す方向にずらして引き抜くことを特徴とする差込みプラグ。
【請求項４】
プラグ体がその先端に相手側コンセントに差し込むように先方へ突出した脚部を備えており、プラグ体の後部よりコードが引き出される差込みプラグにおいて、プラグ体の先端より手の第２指から第５指の４指幅程の位置に至る間の部分に前記プラグ体がその先端側から目立たない緩やかな後細りの形から後太りの形の間で後側に伸びる部分に握りずれ止め手段を備える第３指以後の指の握り部を備え、プラグ引抜き時に第１指と第２指を前記プラグ体の先端側に位置せしめ前記第３指以後の指で前記握り部を握り、前記第１指と前記握り部を握る指との間を前記第１指がコンセント面を押す方向にずらして引き抜くことを特徴とする差込みプラグ。
【請求項５】
握り部の後部に窪み部（９）とその後部で隆起する隆起部（７ｄ）からなる握りずれ止め手段を有することを特徴とする請求項４記載の差込みプラグ。